(57)【要約】      （修正有）【課題】ネジ留め固定された部位に加えられる応力により、電気機器の耐久性が劣化してしまうことを防止するプリント配線基板を提供する。【解決手段】ネジ留め孔１ａと電気回路部１ｂとの間にスリット１ｄを設ける。このように構成されたプリント配線基板１によれば、ネジによってプリント配線基板１の四隅を締結した場合に、その四隅に応力が加えられたとしても、その応力がスリット１ｄによって遮られ、電気回路部１ｂに伝えられることを防止することができる。特に、スリット１ｄが、ネジ留め孔１ａの中心から放射状にスリット１ｄの両端に向けて矢印を伸ばした場合に、その矢印が電気回路部１ｂを避けるような範囲に形成されるようにすれば、応力が矢印のように伝わったとしても電気回路部１ｂには伝わらないようにできる。【選択図】図１
2006351698.tif 000002
【特許請求の範囲】
【請求項１】
四角形の基板（１）として構成され、該四角形の四隅のうちの少なくとも一部に設けられたネジ留め孔（１ａ）を通じて、ネジ（３）により台座（２ａ）に固定されるように構成されたプリント配線基板であって、
前記基板（１）には、前記ネジ留め孔（１ａ）よりも内側において、電気部品が備えられた電気回路部（１ｂ）が備えられていると共に、前記ネジ留め孔（１ａ）と前記電気回路部（１ｂ）との間において、前記基板（１）の表裏を貫通するスリット（１ｄ）が備えられていることを特徴とするプリント配線基板。
【請求項２】
前記スリット（１ｄ）は、前記ネジ留め孔（１ａ）の中心から該スリット（１ｄ）の両端に向かって放射状に矢印を引くと、その矢印が前記電気回路部（１ｂ）よりも外側に向くような範囲に形成されていることを特徴とする請求項１に記載のプリント配線基板。
【請求項３】
前記スリット（１ｄ）は、前記ネジ（３）におけるネジ頭（３ａ）よりも大きな半径の円弧状とされていることを特徴とする請求項１または２に記載のプリント配線基板。
【請求項４】
四角形の基板（１）として構成され、該四角形の四隅のうちの少なくとも一部に設けられたネジ留め孔（１ａ）を通じて、ネジ（３）により台座（２ａ）に固定されるように構成されたプリント配線基板であって、
前記基板（１）には、前記ネジ留め孔（１ａ）よりも内側において、電気部品が備えられた電気回路部（１ｂ）が備えられており、
前記ネジ留め孔（１ａ）は、前記ネジ（３）におけるネジ頭（３ａ）の半径よりも大きな半径を有している部分と該ネジ頭（３ａ）の半径よりも小さくなる部分とを有して構成され、
前記ネジ留め孔（１ａ）のうち前記電気回路部（１ａ）に臨んでいる部分が、前記ネジ頭（３ａ）の半径よりも大きな半径を有している部分となっていることを特徴とするプリント配線基板。
【請求項５】
前記ネジ留め孔（１ａ）のうち前記ネジ頭（３ａ）の半径よりも小さくなる部分は、該ネジ留め孔（１ａ）のうち前記電気回路部（１ａ）に臨んでいる部分の両側から対称的に突出させられた２つの突出部（１ｅ）であることを特徴とする請求項４に記載のプリント配線基板。
【請求項６】
前記ネジ留め孔（１ａ）のうち前記ネジ頭（３ａ）の半径よりも大きな半径を有している部分は、この部分の両端に向かって前記ネジ留め孔（１ａ）の中心から放射状に矢印を引いたときに、その矢印が前記電気回路部（１ｂ）よりも外側に向くような範囲に形成されていることを特徴とする請求項４または５に記載のプリント配線基板。
【発明の詳細な説明】
【技術分野】
【０００１】
本発明は、台座上にネジ締め固定されるプリント配線基板に関するもので、自動車用コントローラのプリント配線基板に用いると好適である。
【背景技術】
【０００２】
プリント配線基板のケース等への固定形態としては、プリント配線基板をケース等に備えられたスロットに収容すると共にスロットの入口側をカバーで覆う形態や、プリント配線基板の四隅をネジ締め固定する形態などがある。
【０００３】
前者の固定形態は、例えば、プリント配線基板の端面にコネクタが備えられるタイプに適用される。このタイプの場合、プリント配線基板に備えられたコネクタに対してプリント配線基板の側方から他の部品等のコネクタを嵌め込むことができる。このため、ケースに備えられるスロット等にプリント配線基板を収容し、コネクタと対応する窓をカバーに備えておき、カバーをケースに固定することで、コネクタを露出させつつプリント配線基板を固定することが可能となる。
【０００４】
後者の固定形態は、例えば、プリント配線基板の表面にコネクタが設けられ、このコネクタにプリント配線基板の垂直方向から他の部品等のコネクタを差し込むタイプに適用される。このタイプの場合、プリント配線基板の垂直方向から他の部品等のコネクタを差し込むことになるため、前者のようにケース等に設けたスロットにプリント配線基板を収容することができない。
【０００５】
このため、プリント配線基板の四隅にネジ留め孔を形成しておき、プリント配線基板の四隅をケース等に備えられた台座上に載せ、ネジ留め孔を通じて台座にプリント配線基板の四隅をネジで締結することで、プリント配線基板がケース等に固定される（例えば、特許文献１参照）。
【特許文献１】実開平５−４１１６９号公報
【発明の開示】
【発明が解決しようとする課題】
【０００６】
しかしながら、プリント配線基板の四隅をネジで締結する固定形態とされる場合、ネジ留めによる応力がプリント配線基板の四隅に加わることになる。特に、製造誤差などによって台座の高さにズレがある場合や、台座の表面に傾斜があるような場合には、加えられる応力が大きなものとなる。プリント配線基板に備えられる電気回路部は、ネジ留めされる四隅を避けるようなレイアウトにされるが、四隅に加えられた応力が電気回路部にも影響し、電気回路部における電気部品あるいは電気的接続部（はんだ付け等）が破壊される等、プリント配線基板が用いられる電気機器の耐久性を劣化させるという問題を発生させる。
【０００７】
本発明は上記点に鑑みて、ケース等にネジ留めで固定されるプリント配線基板に関して、ネジ留め固定された部位に加えられる応力により、電気機器の耐久性が劣化してしまうことを防止することを目的とする。
【課題を解決するための手段】
【０００８】
上記目的を達成するため、請求項１に記載の発明では、四角形の基板（１）として構成され、該四角形の四隅のうちの少なくとも一部に設けられたネジ留め孔（１ａ）を通じて、ネジ（３）により台座（２ａ）に固定されるように構成されたプリント配線基板であって、基板（１）には、ネジ留め孔（１ａ）よりも内側において、電気部品が備えられた電気回路部（１ｂ）が備えられていると共に、ネジ留め孔（１ａ）と電気回路部（１ｂ）との間において、基板（１）の表裏を貫通するスリット（１ｄ）が備えられていることを特徴としている。
【０００９】
このような構成によれば、ネジ（３）によってプリント配線基板の四隅を締結した場合に、その四隅に応力が加えられたとしても、その応力がスリット（１ｄ）によって遮られ、電気回路部（１ｂ）に伝えられることを防止することができる。特に、請求項２に示されるように、スリット（１ｄ）が、ネジ留め孔（１ａ）の中心から放射状にスリット（１ｄ）の両端に向けて矢印を伸ばした場合に、その矢印が電気回路部（１ｂ）の外側に向かうような範囲に形成されるようにすれば、応力が矢印のように伝わったとしても電気回路部（１ｂ）には伝わらないようにできる。
【００１０】
したがって、ネジ留め固定された部位に加えられる応力により、電気機器の耐久性が劣化してしまうことを防止することが可能となる。
【００１１】
請求項３に記載の発明では、スリット（１ｄ）は、ネジ（３）におけるネジ頭（３ａ）よりも大きな半径の円弧状とされていることを特徴としている。
【００１２】
このように、スリット（１ｄ）を円弧状とすれば、スリット（１ｄ）が直線状とされた場合と比べて、上記範囲を満たすために必要とされる面積、つまり電気回路部（１ｂ）を形成できない部分の面積を狭くすることが可能となる。したがって、プリント配線基板の面積当たりの電気回路部（１ｂ）の面積比率を高めることが可能となる。
【００１３】
請求項４に記載の発明では、基板（１）には、ネジ留め孔（１ａ）よりも内側において、電気部品が備えられた電気回路部（１ｂ）が備えられており、ネジ留め孔（１ａ）は、ネジ（３）におけるネジ頭（３ａ）の半径よりも大きな半径を有している部分と該ネジ頭（３ａ）の半径よりも小さくなる部分とを有して構成され、ネジ留め孔（１ａ）のうち電気回路部（１ａ）に臨んでいる部分が、ネジ頭（３ａ）の半径よりも大きな半径を有している部分となっていることを特徴としている。
【００１４】
このような構成によれば、ネジ（３）によってプリント配線基板の四隅を締結した場合に、その四隅に応力が加えられたとしても、その応力がネジ留め孔（１ａ）のうちネジ頭（３ａ）よりも大きな半径とされた部分によって遮られ、電気回路部（１ｂ）に伝えられることを防止することができる。これにより、請求項１と同様の効果を得ることができる。
【００１５】
請求項５に記載の発明では、ネジ留め孔（１ａ）のうちネジ頭（３ａ）の半径よりも小さくなる部分は、該ネジ留め孔（１ａ）のうち電気回路部（１ａ）に臨んでいる部分の両側から対称的に突出させられた２つの突出部（１ｅ）であることを特徴としている。
【００１６】
このように、対照的に突出させられた２つの突出部（１ｅ）によってネジ留め孔（１ａ）のうちネジ頭（３ａ）の半径よりも小さくなる部分を構成すれば、より応力の偏りを防止することが可能となり、例えば台座（２ａ）側に応力が残ってしまうことを防止することが可能となる。
【００１７】
請求項６に記載の発明では、ネジ留め孔（１ａ）のうちネジ頭（３ａ）の半径よりも大きな半径を有している部分は、この部分の両端に向かってネジ留め孔（１ａ）の中心から放射状に矢印を引いたときに、その矢印が電気回路部（１ｂ）よりも外側に向くような範囲に形成されていることを特徴としている。これにより、請求項２と同様の効果を得ることができる。
【００１８】
なお、上記各手段の括弧内の符号は、後述する実施形態に記載の具体的手段との対応関係を示すものである。
【発明を実施するための最良の形態】
【００１９】
以下、本発明の実施形態について図に基づいて説明する。なお、以下の各実施形態相互において、互いに同一もしくは均等である部分には、図中、同一符号を付してある。
【００２０】
（第１実施形態）
本発明の第１実施形態について説明する。図１に、本発明の第１実施形態が適用されたプリント配線基板１の上面図を示すと共に、図２に、図１に示したプリント配線基板１をケース２の台座２ａに固定したときの模式図を示す。これらの図に示されるプリント配線基板１は、例えば自動車用のコントローラを構成するジャンクションブロックに用いられる。以下、これらの図を参照して、本実施形態のプリント配線基板１について説明する。
【００２１】
図１に示されるように、プリント配線基板１は角が丸められた正方形もしくは長方形などの四角形で構成されている。プリント配線基板１の四隅のそれぞれにはネジ留め孔１ａが形成され、その四隅を避けるように、プリント配線基板１の表面（および裏面）には電気回路部１ｂが備えられている。
【００２２】
ネジ留め孔１ａは、円形とされており、その直径は、図２に示したネジ３におけるネジ頭３ａの直径よりも小さく、かつ、ネジ溝部（軸部）３ｂの直径と同等もしくはそれより若干大きくされている。
【００２３】
電気回路部１ｂは、プリント配線基板１のうちネジ留め孔１ａよりも内側に備えられている。電気回路部１ｂには、様々な電気部品が備えられ、プリント配線基板１に形成されたパターン配線を介して電気部品が接続されることで、所望の電気回路が構成されている。この電気回路部１ｂには、電気回路を他の部品等と電気的に接続するためのコネクタ１ｃが備えられている。このコネクタ１ｃは、プリント配線基板１の表面に備えられ、他の部品等との電気的な接続が行われたコネクタ（図示せず）がプリント配線基板１の垂直方向から接続できるような構成となっている。
【００２４】
他の部品等は、例えば図２中の破線で示したように、プリント配線基板１の表面や裏面に固定される。そして、他の部品等と電気的な接続が行われたコネクタがこの他の部品等と一体とされ、他の部品等と共にプリント配線基板１の垂直方向からコネクタ１ｃに嵌め込まれることで、電気回路部１ｂと電気的に接続されるようようなっている。
【００２５】
なお、ここでは図示していないが、例えば、プリント配線基板１の一辺にもコネクタが備えられ、このコネクタに接続されたワイヤを通じて、プリント配線基板１における電気回路部１ｂおよび他の部品が外部と電気的に接続される。そして、このようなプリント配線基板１に対して、上記した他の部品等が固定され、ケース２と共に一体化されることで、プリント配線基板１を備えた電気機器が構成される。
【００２６】
さらに、本実施形態においては、プリント配線基板１の四隅それぞれには、上述したネジ留め孔１ａと電気回路部１ｂとの間を仕切るように、プリント配線基板１の表裏を貫通するスリット１ｄが備えられている。
【００２７】
図３に、プリント配線基板１の四隅の１つを拡大した図を示す。この図に示されるように、スリット１ｄは、ネジ留め孔１ａの中心から放射状にスリット１ｄの両端に向けて矢印を伸ばした場合に、その矢印が電気回路部１ｂよりも外側に向き、電気回路部１ｂを避けるような範囲（オーバラップしない範囲）となるように形成されている。具体的には、スリット１ｄは、ネジ頭３ａの半径と同等以上の半径を有する略円弧状で構成されている。
【００２８】
以上のように構成されたプリント配線基板１によれば、ネジ３によってプリント配線基板１の四隅を締結した場合に、その四隅に応力が加えられたとしても、その応力がスリット１ｄによって遮られ、電気回路部１ｂに伝えられることを防止することができる。特に、スリット１ｄが、ネジ留め孔１ａの中心から放射状にスリット１ｄの両端に向けて矢印を伸ばした場合に、その矢印が電気回路部１ｂを避けるような範囲に形成されるようにしていることから、応力が矢印のように伝わったとしても電気回路部１ｂには伝わらないようにできる。
【００２９】
したがって、ネジ留め固定された部位に加えられる応力により、電気機器の耐久性が劣化してしまうことを防止することが可能となる。
【００３０】
また、本実施形態では、スリット１ｄを円弧状としている。このため、スリット１ｄが直線状とされた場合と比べて、上記範囲を満たすために必要とされる面積、つまり電気回路部１ｂを形成できない部分の面積を狭くすることが可能となる。したがって、プリント配線基板１の面積当たりの電気回路部１ｂの面積比率を高めることが可能となる。
【００３１】
参考として、本実施形態のプリント配線基板１における各部のサイズの一例を示すと、ネジ頭３ａがφ６ｍｍであったとすると、スリット１ｄがネジ留め孔１ａの中心から半径７ｍｍ程度となる。従来のようにスリット１ｄが設けられていない場合、応力を緩和できるようにするためには電気回路部１ｂはネジ留め孔１ａの中心から例えば１０ｍｍ以上離さなければならないことが確認されている。このため、本実施形態の場合には、従来の場合と比較して、ネジ留め孔１ａの中心から電気回路部１ｂから離さなければならない距離を短くすることが可能となる。
【００３２】
なお、このようなスリット１ｄに関しては、従来に対してプリント配線基板１を形成する際の成形型の形状を変更したり、ピンで所望場所の穴空けを行うＮＣ加工を行うことで、形成することが可能である。
【００３３】
（第２実施形態）
本発明の第２実施形態について説明する。本実施形態は、ネジ留め孔１ａの形状を第１実施形態で説明したネジ留め孔１ａとスリット１ｄとを組み合わせたような形状とすることで、第１実施形態と同様の効果を得るようにしたものであり、その他の構造に関しては同様であるため、異なる部分についてのみ説明する。
【００３４】
図４は、プリント配線基板１における四隅の１つを拡大した図である。この図に示されるように、ネジ留め孔１ａは、基本的には、ネジ３におけるネジ頭３ａの半径よりも大きな半径で構成され、部分的に、ネジ頭３ａの半径よりも小さくなる部分が設けられた形状とされている。
【００３５】
ネジ留め孔１ａのうちネジ頭３ａの半径よりも小さくなる部分は、２つの突出部１ｅによって構成されている。２つの突出部１ｅは、ネジ留め孔１ａのうち対称的な位置に形成されている。具体的には、ネジ留め孔１ａのうち電気回路部１ｂに臨んでいる部分がネジ頭３ａの半径よりも大きくされている部分であるとすると、その両側に２つの突出部１ｅが備えられている。例えば、プリント配線基板１の四隅から対角線を引いた場合に、その対角線を中心とした両側に、もしくは、プリント配線基板１の四隅から四隅の角度を二等分する直線（４５°で等分する直線）を引いた場合に、その直線を中心とした両側に、２つの突出部１ｅが備えられたものとなっている。これら２つの突出部１ｅがネジ頭３ａと台座２ａとの間に挟み込まれることで、プリント配線基板１がケース２に固定されるようになっている。
【００３６】
ネジ留め孔１ａのうち電気回路部１ｂに隣接してネジ頭３ａの半径よりも大きくされた部分は、その部分の両端に向けて、ネジ留め孔１ａの中心から放射状に矢印を伸ばした場合、その矢印が電気回路部１ｂを避けるような範囲に形成されている。このため、応力が矢印のように伝わったとしても電気回路部１ｂには伝わらないようにできる。
【００３７】
以上のように構成されたプリント配線基板１によれば、ネジ３によってプリント配線基板１の四隅を締結した場合に、その四隅に応力が加えられたとしても、その応力がネジ留め孔１ａのうちネジ頭３ａよりも大きな半径とされた部分によって遮られ、電気回路部１ｂに伝えられることを防止することができる。これにより、第１実施形態と同様の効果を得ることができる。
【００３８】
また、ネジ３によって締結される部分を対称的に配置された２つの突出部１ｅとしている。単にネジ３と台座２ａとの間に挟むだけであれば、２つの突出部１ｅを対称的な形状とする必要はない。しかしながら、このように２つの突出部１ｅを対象的な配置とすることで、より応力の偏りを防止することが可能となり、例えば台座２ａ側に応力が残ってしまうことを防止することが可能となる。
【００３９】
参考として、本実施形態のプリント配線基板１における各部のサイズの一例を示すと、ネジ頭３ａがφ６ｍｍ、ネジ留め孔１ａのうちネジ頭３ａよりも大きな半径とされる部分が３．５ｍｍ〜４ｍｍとなり、第１実施形態以上に、ネジ留め孔１ａの中心から電気回路部１ｂから離さなければならない距離を短くすることが可能となる。
【００４０】
（他の実施形態）
上記第１、第２実施形態では、プリント配線基板１の四隅すべてをネジ３で締結する場合について説明したが、必ずしも四隅すべてでなければならない訳ではない。例えば四隅のうちの３箇所のみがネジ３で締結されるような場合に関しても、本発明を適用することが可能である。なお、この場合には、四隅のうちネジ３で締結される箇所のみについて、第１実施形態で示したスリット１ｄを設けたり、第２実施形態で示した形状のネジ留め孔１ａを設ければ良いが、これらを四隅すべてに設ければ、プリント配線基板１が上下左右対称の形状となるため、プリント配線基板１の取り扱いが容易になる。
【図面の簡単な説明】
【００４１】
【図１】本発明の第１実施形態におけるプリント配線基板１の断面構成を示す図である。
【図２】図１に示すプリント配線基板１をケース２の台座２ａに固定したときの模式図である。
【図３】図１に示すプリント配線基板１の四隅の１つの拡大図である。
【図４】本発明の第２実施形態におけるプリント配線基板１の四隅の１つの拡大図である。
【符号の説明】
【００４２】
１…プリント配線基板（基板）、１ａ…ネジ留め孔、１ｂ…電気回路部、１ｃ…コネクタ、１ｄ…スリット、１ｅ…突出部、２…ケース、２ａ…台座、３…ネジ、３ａ…ネジ頭、３ｂ…ネジ溝部。
【図１】
2006351698.tif 000003
【図２】
2006351698.tif 000004
【図３】
2006351698.tif 000005
【図４】
2006351698.tif 000006